(57)【要約】【課題】  無駄な電力消費を避けて安否確認を行うことが可能な簡易型安否確認システムを提供する。【解決手段】  簡易型安否確認システムは、特定小電力無線を利用したコードレス親機（１）とコードレス子機（２）とからなる。コードレス子機（２）は、ユーザに対してボタン（ボタン部２４）押下の操作をリクエストする手段（主制御部２１）を有し、コードレス親機（１）は、リクエストに対して規定時間内にユーザによりボタン（ボタン部２４）押下が行われない場合に異常通報をセンタに対して行う手段（主制御部１１）を有する。【選択図】      図１
2011151508.tif 000002
【特許請求の範囲】
【請求項１】
特定小電力無線を利用したコードレス親機とコードレス子機とからなる簡易型安否確認システムであって、
前記コードレス子機は、ユーザに対してボタン押下の操作をリクエストする手段を有し、
前記コードレス親機は、前記リクエストに対して規定時間内に前記ユーザにより前記ボタン押下が行われない場合に異常通報をセンタに対して行う手段を有することを特徴とする簡易型安否確認システム。
【請求項２】
前記リクエストする手段は、少なくとも音声またはブザーによる通知、振動による通知にて前記ユーザに対してボタン押下の操作をリクエストすることを特徴とする請求項１記載の簡易型安否確認システム。
【請求項３】
前記コードレス親機は、一般公衆回線にて前記異常通報を前記センタに対して行うことを特徴とする請求項１または請求項２記載の簡易型安否確認システム。
【請求項４】
前記コードレス子機は、前記コードレス親機との間の無線のやり取りが不要な場合にシステムの動作クロックを落としてスリープモードに入り、前記リクエスト及び前記ボタン操作時にアクティブモードになることを特徴とする請求項１から請求項３のいずれか記載の簡易型安否確認システム。
【請求項５】
前記コードレス子機は、前記リクエストの開始時に前記コードレス親機との無線接続の可否を確認することを特徴とする請求項１から請求項４のいずれか記載の簡易型安否確認システム。
【請求項６】
上記の請求項１と請求項２と請求項４と請求項５とのいずれかに記載のコードレス子機の構成を含むことを特徴とするセキュリティ端末。
【請求項７】
特定小電力無線を利用したコードレス親機とコードレス子機とからなるシステムに用いる簡易型安否確認方法であって、
前記コードレス子機が、ユーザに対してボタン押下の操作をリクエストする処理を実行し、
前記コードレス親機が、前記リクエストに対して規定時間内に前記ユーザにより前記ボタン押下が行われない場合に異常通報をセンタに対して行う処理を実行することを特徴とする簡易型安否確認方法。
【発明の詳細な説明】
【技術分野】
【０００１】
本発明はセキュリティ端末、簡易型安否確認システム及びそれらに用いる簡易型安否確認方法に関し、特に独居老人等、高齢者の安否確認を目的としたセキュリティシステムの端末に関する。
【背景技術】
【０００２】
上記のような安否確認を行う方法としては、生活リズムセンサがある。この生活リズムセンサとしては、例えば専用のセンサをドア等に取付け、定期的に開閉が行われることを識別することで、ユーザが通常通りの生活を行っていることを確認する方法がある。
【０００３】
この方法において、端末はセンサから通知される開閉情報を処理し、異常と判断した場合等に介護センタやコールセンタ等への通報等を行う。但し、この場合、専用のセンサの用意や煩わしい配線等の準備作業が必要となる。
【０００４】
この解決策として、例えば下記の特許文献１に記載のように、緊急通報用に使用するために標準に添付されているコードレス子機を利用する発明がある。これは、コードレス親機がコードレス子機に対して呼出信号を送り、規定時間内にコードレス子機のボタンが押されたか否かを判別し、規定時間内にコードレス子機のボタンが押されなかった場合、コールセンタに対して通報を行うものである。
【先行技術文献】
【特許文献】
【０００５】
【特許文献１】特開２００２−２４９７１号公報
【発明の概要】
【発明が解決しようとする課題】
【０００６】
しかしながら、上述した安否確認を行う方法では、特許文献１に記載の方法の場合、コードレス子機がコードレス親機から任意のタイミングに呼出信号を受信することができるよう、常に（定期的に）受信状態にある必要がある。これは消費電力の観点から好ましくない。さらに、充電池ではなく、ボタン電池が使用されるケースが多い緊急通報端末のペンダント型子機では、電池寿命の短さにおいて実用的ではない。
【０００７】
そこで、本発明の目的は上記の問題点を解消し、無駄な電力消費を避けて安否確認を行うことができる簡易型安否確認システム、セキュリティ端末及びそれらに用いる簡易型安否確認方法を提供することにある。
【課題を解決するための手段】
【０００８】
本発明による簡易型安否確認システムは、特定小電力無線を利用したコードレス親機とコードレス子機とからなる簡易型安否確認システムであって、
前記コードレス子機は、ユーザに対してボタン押下の操作をリクエストする手段を備え、
前記コードレス親機は、前記リクエストに対して規定時間内に前記ユーザにより前記ボタン押下が行われない場合に異常通報をセンタに対して行う手段を備えている。
【０００９】
本発明によるセキュリティ端末は、上記のコードレス子機の構成を含むことを特徴とする。
【００１０】
本発明による簡易型安否確認方法は、特定小電力無線を利用したコードレス親機とコードレス子機とからなるシステムに用いる簡易型安否確認方法であって、
前記コードレス子機が、ユーザに対してボタン押下の操作をリクエストする処理を実行し、
前記コードレス親機が、前記リクエストに対して規定時間内に前記ユーザにより前記ボタン押下が行われない場合に異常通報をセンタに対して行う処理を実行している。
【発明の効果】
【００１１】
本発明は、上記のような構成及び動作とすることで、無駄な電力消費を避けて安否確認を行うことができるという効果が得られる。
【図面の簡単な説明】
【００１２】
【図１】本発明の第１の実施の形態による簡易型安否確認システムの構成例を示すブロック図である。
【図２】本発明の第１の実施の形態による簡易型安否確認システムの動作例を示すシーケンスチャートである。
【図３】本発明の第１の実施の形態による簡易型安否確認システムの動作例を示すシーケンスチャートである。
【図４】本発明の第２の実施の形態による簡易型安否確認システムの動作例を示すシーケンスチャートである。
【発明を実施するための形態】
【００１３】
次に、本発明の実施の形態について図面を参照して説明する。まず、本発明による簡易型安否確認方法の概要について説明する。本発明による簡易型安否確認システムは、・簡易的に生活リズムセンサを実現したい、・ペンダント型子機の消費電力を抑え、電池寿命を長くしたいという目的を実現するためのものである。
【００１４】
本発明による簡易型安否確認システムは、独居老人等、高齢者の安否確認を目的としたセキュリティシステムの端末に用いられ、ユーザ（高齢者）の手によって定期的に端末の操作が行われることで、ユーザが通常通りの生活を行っていることを確認することができる、いわゆる生活リズムセンサを簡易的に実現するものである。
【００１５】
本発明による簡易型安否確認システムは、特定小電力無線を利用したコードレス親機とコードレス子機とから構成されている。
【００１６】
この構成において、コードレス親機は、システム全般の制御や信号処理を行う主制御部と、コードレス子機からの無線信号を受信する親機受信部と、コードレス子機へ無線信号を送信する親機送信部と、一般公衆回線の発着呼を制御する回線制御部とからなる。
【００１７】
また、コードレス子機は、システム全般の制御や信号処理を行う主制御部と、コードレス親機からの無線信号を受信する子機受信部と、コードレス親機へ無線信号を送信する子機送信部と、マンマシンインタフェースとしてのボタン部と、ユーザにボタン押下をリクエストするユーザ通知部とからなる。
【００１８】
本発明による簡易型安否確認システムでは、ある規則に基づき、コードレス子機がユーザに対してボタン押下の操作をリクエストする。リクエストの方法としては、音声やブザーによる通知、振動による通知等が考えられる。
【００１９】
本発明による簡易型安否確認システムでは、上記のリクエストに対して規定時間内にユーザによりボタンが押されない場合、緊急事態が発生した可能性があるため、異常通報をセンタに対して行う。
【００２０】
このように、本発明による簡易型安否確認システムでは、ユーザがボタンを押すためのリクエストイベントをコードレス親機からの通知ではなく、コードレス子機が制御することで、コードレス子機が常に受信状態でいる必要がなく、電池寿命の問題を解決することができ、無駄な電力消費を避けて安否確認を行うことができる。
【００２１】
図１は本発明の第１の実施の形態による簡易型安否確認システムの構成例を示すブロック図である。図において、本発明の第１の実施の形態による簡易型安否確認システムは、特定小電力無線を利用したコードレス親機１と、コードレス子機２とから構成されている。
【００２２】
上記の構成において、コードレス親機１は、システム全般の制御や信号処理を行う主制御部１１と、コードレス子機２からの無線信号を受信する親機受信部１２と、コードレス子機２へ無線信号を送信する親機送信部１３と、一般公衆回線の発着呼を制御する回線制御部１４とからなる。
【００２３】
また、コードレス子機２は、システム全般の制御や信号処理を行う主制御部２１と、コードレス親機１からの無線信号を受信する子機受信部２２と、コードレス親機１へ無線信号を送信する子機送信部２３と、マンマシンインタフェースとしてのボタン部２４と、ユーザにボタン押下をリクエストするユーザ通知部２５とからなる。
【００２４】
本実施の形態では、緊急通報端末を想定しているため、「コードレス子機２」とはペンダントタイプの、ユーザが常時首からぶら下げる携帯型とする。以下、「ペンダント型子機」と記載し、その構成及び符号は図１のコードレス子機２の構成及び符号を用いる。
【００２５】
ペンダント型子機２は、定期的（例えば、１日１回、設定された時刻）にユーザ（高齢者）に対してボタンを押すことをリクエスト（例えば、アラーム音を鳴動）する。
【００２６】
尚、ペンダント型子機２は、コードレス親機１との間の無線のやり取りが不要な場合、ＣＰＵ（中央処理装置）（主制御部１１）のクロックを落とす等してスリープモードに入っており、アラーム時刻やボタンが押下された時のみアクティブモードになる。
【００２７】
このスリープモードとアクティブモードとの切り替えは、ペンダント型子機２のみで行われ、コードレス親機１は常時通電され、常時、受信状態（アクティブモード）にいる。つまり、ペンダント型子機２は、何らかのイベントが発生した場合だけアクティブモードとなり、コードレス親機１は、いつペンダント型子機２が通信を開始しても、それをとりこぼさないように常時監視している。
【００２８】
ペンダント型子機２は、規定時間内（例えば、３分以内）にユーザがボタンを押した場合、ユーザは通常通りの生活ができている（＝特に問題は無い）と判断し、特に何もしない。
【００２９】
ペンダント型子機２は、規定時間を越えてもボタンが押されない場合、何かしらの異常事態が発生した可能性があるため、コードレス親機１から一般公衆回線を通じてセンタ（介護センタやコールセンタ等）への異常通報を行う。
【００３０】
図１に示すコードレス親機１において、主制御部１１は、システム全般の制御や信号処理を行う。親機受信部１２は、ペンダント型子機２からの無線信号を受信する。親機送信部１３は、ペンダント型子機２へ無線信号を送信する。回線制御部１４は、一般公衆回線の発着呼を制御する。
【００３１】
また、ペンダント型子機２において、主制御部２１は、システム全般の制御や信号処理を行う。子機受信部２２は、コードレス親機１からの無線信号を受信する。子機送信部２３は、コードレス親機１へ無線信号を送信する。ボタン部２４は、ペンダント型子機２のマンマシンインタフェースである。ユーザ通知部「１−９」は、ユーザにボタン押下をリクエストする。
【００３２】
図２及び図３は本発明の第１の実施の形態による簡易型安否確認システムの動作例を示すシーケンスチャートである。これら図１〜図４を参照して本発明の第１の実施の形態による簡易型安否確認システムの動作について説明する。
【００３３】
まず、本発明の第１の実施の形態による簡易型安否確認システムの通常の安否確認動作について図２を参照して説明する。
【００３４】
ペンダント型子機２は、ユーザに対してボタン押下リクエストのイベントを発生させるタイミングがくると（図２のａ１）、まずコードレス親機１に対して「押下リクエストスタート」を無線通知する（図２のａ２）。
【００３５】
コードレス親機１は、ペンダント型子機２からの無線通知を受信すると、ペンダント型子機２に対して正常に無線接続できた意味のレスポンス「ＯＫ」を返す（図２のａ３）。
【００３６】
ペンダント型子機２は、コードレス親機１からのレスポンスを受信すると、監視タイマをスタートし（図２のａ４）、リクエスト動作（例えば、アラーム鳴動）をスタートする（図２のａ５）。同時に、ペンダント型子機２は、ユーザによるボタン押下を監視する。
【００３７】
ペンダント型子機２は、ボタンが押下されると（図２のａ６）、監視タイマとリクエスト動作とをストップして（図２のａ７，ａ８）、コードレス親機１に対して「ボタン押下」を無線通知する（図２のａ９）。
【００３８】
この場合、コードレス親機１は、特に何もせず、ペンダント型子機２に対して正常に安否確認できた意味のレスポンス「ＯＫ」を返し（図２のａ１０）、待機状態（上記の常時監視状態）に戻る。
【００３９】
次に、本発明の第１の実施の形態による簡易型安否確認システムの安否確認動作においてタイムアウトとなった場合について図３を参照して説明する。
【００４０】
ペンダント型子機２は、上記の安否確認動作において（図３のｂ１〜ｂ５）、監視タイマがタイムアウトした場合（図３のｂ６）、リクエスト動作をストップし（図３のｂ７）、コードレス親機１に「タイムアウト」を無線通知する（図３のｂ８）。
【００４１】
コードレス親機１は、ペンダント型子機２から「タイムアウト」の無線通知を受信すると、設定された電話番号（センタの電話番号）に対して発呼を行い、センタに「異常発生」を通知する。その後に、コードレス親機１は、ペンダント型子機２に対してセンタに「異常発生」を通知した意味のレスポンス「ＯＫ」を返し（図３のｂ９）、待機状態（上記の常時監視状態）に戻る。
【００４２】
このように、本実施の形態では、ペンダント型子機２がコードレス親機１から無線信号を受信するのは、ペンダント型子機２がコードレス親機１に対してコマンドを送った直後に限られるため、ペンダント型子機２を常時受信状態にいる必要が無く、ペンダント型子機２の消費電力を抑えられ、電池寿命を長くすることができる。
【００４３】
図４は本発明の第２の実施の形態による簡易型安否確認システムの動作例を示すシーケンスチャートである。本発明の第２の実施の形態による簡易型安否確認システムは、図１に示す本発明の第１の実施の形態による簡易型安否確認システムの構成と同様の構成となっており、ペンダント型子機２がコードレス親機１の圏外にある場合に対応できるようにしている。
【００４４】
本発明の第２の実施の形態による簡易型安否確認システムの安否確認動作においてペンダント型子機２がコードレス親機１の圏外にある場合について図４を参照して説明する。
【００４５】
ペンダント型子機２がコードレス親機１の圏外にいる場合、ペンダント型子機２が送る「押下リクエストスタート」がコードレス親機１に届かない。すなわち、ペンダント型子機２がボタン押下リクエストをスタートしても、結果（「ボタン押下」、「タイムアウト」）をコードレス親機１に通知できない。
【００４６】
したがって、ペンダント型子機２は、「押下リクエストスタート」送信時に（図４のｃ１）、レスポンスタイマをスタートし（図４のｃ２）、規定時間内にコードレス親機１からのレスポンスを受信しなかった場合（図４のｃ３，ｃ４）、ユーザに圏外にいることを知らせる（図４のｃ５）。
【００４７】
この後、ペンダント型子機２は、圏内に戻った場合（図４のｃ６）、改めて「押下リクエストスタート」からのシーケンスを実行する（図４のｃ７〜ｃ１８）。
【００４８】
本実施の形態では、アラーム鳴動等のボタン押下のリクエスト動作や、コードレス親機１に対する無線送信もペンダント型子機２の電力消費が小さくないため、イベント開始時にコードレス親機１との無線接続の可否を確認することで、無駄な電力消費を避けることができる。
【００４９】
（付記１）特定小電力無線を利用したコードレス親機とコードレス子機とからなるシステムに用いる簡易型安否確認方法であって、
前記コードレス子機が、ユーザに対してボタン押下の操作をリクエストする処理を実行し、
前記コードレス親機が、前記リクエストに対して規定時間内に前記ユーザにより前記ボタン押下が行われない場合に異常通報をセンタに対して行う処理を実行し、
前記リクエストする処理において、少なくとも音声またはブザーによる通知、振動による通知にて前記ユーザに対してボタン押下の操作をリクエストすることを特徴とする簡易型安否確認方法。
【００５０】
（付記２）前記コードレス親機が、一般公衆回線にて前記異常通報を前記センタに対して行うことを特徴とする付記１に記載の簡易型安否確認方法。
【００５１】
（付記３）特定小電力無線を利用したコードレス親機とコードレス子機とからなるシステムに用いる簡易型安否確認方法であって、
前記コードレス子機が、ユーザに対してボタン押下の操作をリクエストする処理を実行し、
前記コードレス親機が、前記リクエストに対して規定時間内に前記ユーザにより前記ボタン押下が行われない場合に異常通報をセンタに対して行う処理を実行し、
前記コードレス親機が、一般公衆回線にて前記異常通報を前記センタに対して行うことを特徴とする簡易型安否確認方法。
【００５２】
（付記４）前記コードレス子機が、前記コードレス親機との間の無線のやり取りが不要な場合にシステムの動作クロックを落としてスリープモードに入り、前記リクエスト及び前記ボタン操作時にアクティブモードになることを特徴とする付記１から付記３のいずれかに記載の簡易型安否確認方法。
【００５３】
（付記５）前記コードレス子機が、前記リクエストの開始時に前記コードレス親機との無線接続の可否を確認することを特徴とする付記１から付記４のいずれかに記載の簡易型安否確認システム。
【符号の説明】
【００５４】
１  コードレス親機
２  ペンダント型子機
１１，２１  主制御部
１２  親機受信部
１３  親機送信部
１４  回線制御部
２２  子機受信部
２３  子機送信部
２４  ボタン部
２５  ユーザ通知部
【図１】
2011151508.tif 000003
【図２】
2011151508.tif 000004
【図３】
2011151508.tif 000005
【図４】
2011151508.tif 000006